(57)【特許請求の範囲】
【請求項１】
少なくとも２つの燃焼室と、該少なくとも２つの燃焼室にそれぞれ備えられた着火装置と、該少なくとも２つの燃焼室内にそれぞれ収納された火薬と、該少なくとも２つの燃焼室にそれぞれ形成されたオリフィスと、該少なくとも２つの燃焼室と隔離されていてフィルタを収納するフィルタ室と、を備えたガス発生装置であって、
上記燃焼室に形成されたいずれのオリフィスも、他の燃焼室に形成されたオリフィスを通過することなくフィルタ室に連通していて、かつ着火装置により着火して燃焼室内で発生した燃焼ガスが未着火の他の燃焼室内に侵入しないように該他の燃焼室に形成されたオリフィスに逆流防止部材が設けられており、
該ガス発生装置は、該燃焼室内での所定の圧力で開放し且つ該所定の圧力に達するまでは上記オリフィスを気密に閉鎖する閉鎖手段を有しており、
該閉鎖手段は、所定圧力で破断するシムよりなり、
該ガス発生装置は、
上記燃焼室として、最初に着火装置が着火する第１燃焼室（２５０）と、該第１燃焼室（２５０）よりも後から着火装置が着火する少なくとも１個の第２燃焼室（２６０）とを有しており、
上記オリフィスとして、該第１燃焼室（２５０）と上記フィルタ室とを連通する第１のオリフィス（２２１）と、該第２燃焼室（２６０）と該フィルタ室とを連通する第２のオリフィス（２２２）とを有しており、
上記シムとして、該第１のオリフィス（２２１）を閉鎖した第１のシム（２１１）と、該第２のオリフィス（２２２）を閉鎖した第２のシム（２２３）及び第３のシム（２２４）とを有しており、
該第１のシム（２１１）は、該第１のオリフィス（２２１）を該第１燃焼室（２５０）側から閉鎖しており、
該第２のシム（２２３）は、該第２のオリフィス（２２２）を該第２燃焼室（２６０）側から閉鎖しており、
該第３のシム（２２４）は、該第２のオリフィス（２２２）を上記フィルタ室側から閉鎖しており、
該第３のシム（２２４）により、上記逆流防止部材が構成されていることを特徴とするガス発生装置。
【請求項２】
請求項１において、上記第１燃焼室（２５０）及び第２燃焼室（２６０）に形成された第１のオリフィス（２２１）及び第２のオリフィス（２２２）は、上記フィルタに面する領域が偏在しないように配置されていることを特徴とするガス発生装置。
【請求項３】
請求項１又は２において、上記第１燃焼室（２５０）及び第２燃焼室（２６０）と上記フィルタ室との間に、これらを離隔させた隔壁（２２０）が設けられており、該隔壁（２２０）に上記第１のオリフィス（２２１）及び第２のオリフィス（２２２）が設けられており、
該フィルタ室を取り囲む該隔壁（２２０）以外の外壁（２４０）に、該フィルタ室とガス発生装置の外部とを連通する第３のオリフィス（２４１）が設けられており、
該第３のオリフィス（２４１）は、該フィルタ室側から第４のシム（２４２）によって閉鎖されていることを特徴とするガス発生装置。
【請求項４】
請求項３において、上記フィルタ室内の上記フィルタと上記隔壁（２２０）との間、及び、該フィルタ室の上記第３のオリフィス（２４１）の周囲の外壁（２４０）と該フィルタとの間に、それぞれ、間隙部（２７２，２７３）が形成されていることを特徴とするガス発生装置。
【請求項５】
請求項１ないし４のいずれか１項において、上記第２のシム（２２３）は円筒状のものであり、上記第２燃焼室（２６０）内の火薬は、この円筒状の第２のシム（２２３）の内側に収納されていることを特徴とするガス発生装置。
【発明の詳細な説明】
【０００１】
【発明の属する技術分野】
この発明は、エアバッグを膨張展開させるためのガスを発生させるガス発生装置に関する。具体的には、燃焼室とフィルタ室とを別室にしたタイプのガス発生装置に関する。
【０００２】
【従来の技術】
従来のガス発生装置は、大別して、プロペラントとフィルタとが同室に収納されている同室タイプ（例えばＷＯ−９９０８９０７）と、別の室に分かれて収納されている別室タイプ（例えばＤＥ−２９８１９１６８−Ｕ１）とに分類される。後者の別室タイプでは、プロペラントが収容された燃焼室とフィルタが収容されたフィルタ室との間に隔壁が設けられ、この隔壁に連通孔が設けられている。この連通孔は、燃焼開始から最大燃焼圧力に達するまで燃焼室とフィルタ室とを連通している。従って、燃焼開始から燃焼ガスがフィルタ室に漏れ始めるので、燃焼室内の燃焼圧力が最大圧力に達する時間は、燃焼ガスが漏れた分だけ多少遅れる。また、この遅れにより燃焼速度にも多少の遅れが生じる。
【０００３】
米国特許第６０３２９７９号には、第１チャンバ及び第２チャンバを有するガス発生装置であって、第２チャンバの出口オリフィスが第１チャンバの内容物と流体的連通関係にある多段式ガス発生器（以下「インフレータ」と称することがある。）が記載されている。
【０００４】
【発明が解決しようとする課題】
▲１▼  エアバッグ装置の初期拘束力を向上させるために、バッグ内の内圧上昇の立ち上がり開始初期遅れの短縮と内圧上昇の立ち上がり開始から最大内圧までの到達時間の短縮が望まれている。
▲２▼  ガス噴出口の配置場所の設計自由度を広げることができるインフレータが望まれている。
▲３▼  各種収納場所に適応できる外形変更の設計自由度の広いガス発生装置が望まれている。
▲４▼  燃焼ガスの冷却効率の高いガス発生装置が望まれている。
【０００５】
【課題を解決するための手段】
本発明のガス発生装置では、少なくとも２つの燃焼室と、少なくとも２つの燃焼室にそれぞれ備えられた着火装置と、少なくとも２つの燃焼室内にそれぞれ収納された火薬と、少なくとも２つの燃焼室にそれぞれ形成されたオリフィスと、少なくとも２つの燃焼室と隔離されていてフィルタを収納するフィルタ室と、を備えたガス発生装置であって、燃焼室に形成されたいずれのオリフィスも、他の燃焼室に形成されたオリフィスを通過することなくフィルタ室に連通していて、かつ着火装置により着火して燃焼室内で発生した燃焼ガスが未着火の他の燃焼室内に侵入しないように他の燃焼室に形成されたオリフィスに逆流防止部材が設けられており、該ガス発生装置は、該燃焼室内での所定の圧力で開放し且つ該所定の圧力に達するまでは上記オリフィスを気密に閉鎖する閉鎖手段を有しており、該閉鎖手段は、所定圧力で破断するシムよりなり、該ガス発生装置は、上記燃焼室として、最初に着火装置が着火する第１燃焼室（２５０）と、該第１燃焼室（２５０）よりも後から着火装置が着火する少なくとも１個の第２燃焼室（２６０）とを有しており、上記オリフィスとして、該第１燃焼室（２５０）と上記フィルタ室とを連通する第１のオリフィス（２２１）と、該第２燃焼室（２６０）と該フィルタ室とを連通する第２のオリフィス（２２２）とを有しており、上記シムとして、該第１のオリフィス（２２１）を閉鎖した第１のシム（２１１）と、該第２のオリフィス（２２２）を閉鎖した第２のシム（２２３）及び第３のシム（２２４）とを有しており、該第１のシム（２１１）は、該第１のオリフィス（２２１）を該第１燃焼室（２５０）側から閉鎖しており、該第２のシム（２２３）は、該第２のオリフィス（２２２）を該第２燃焼室（２６０）側から閉鎖しており、該第３のシム（２２４）は、該第２のオリフィス（２２２）を上記フィルタ室側から閉鎖しており、該第３のシム（２２４）により、上記逆流防止部材が構成されていることを特徴とする。
【０００６】
このガス発生装置によれば、燃焼ガスがフィルタの異なる領域（燃焼ガスが比較的透過していない比較的温度の低い領域）を透過するので、フィルタのもつ本来の冷却能力をより一層発揮することができ、より高い冷却効果を期待することができる。
【０００７】
このガス発生装置では、燃焼室に形成されたオリフィスは、フィルタに面する領域が偏在しないように配置されていてもよい。
【０００８】
このように構成すれば、燃焼ガスがフィルタのより異なる領域（燃焼ガスが比較的透過していない比較的温度の低い領域）を透過するので、フィルタのもつ本来の冷却能力を更により一層発揮することができ、更により高い冷却効果を期待することができる。
【０００９】
本発明では、上記燃焼室内での所定の圧力で開放し且つ該所定の圧力に達するまでは上記オリフィスを気密に閉鎖する閉鎖手段を備えている。
【００１０】
このように構成したことにより、燃焼室内が密閉されていて、素早く燃焼室内の圧力が上昇し、所定の圧力に達すると閉鎖手段が開放されるので、バッグ内の内圧上昇の立ち上がり開始時期遅れの短縮と内圧上昇の立ち上がり開始から最大内圧までの到達時間の短縮が得られ、エアバッグ装置の初期拘束力を向上させることができる。
【００１１】
上記閉鎖手段は、所定圧力で破断するシムよりなる。
【００１２】
このように構成したことにより、例えばアルミニウム箔等のような安価なシムを閉鎖手段として用いることが可能となる。
【００１３】
【発明の実施の形態】
以下、本発明の実施の形態について、図面を参照して説明する。なお、図中、各部材の大きさ、形状および配置関係は、この発明が理解できる程度に概略的に示してあるにすぎず、また、以下に説明する数値的条件は単なる例示である。
【００１４】
本発明の実施例に係るガス発生装置２００について第１〜３図を参照して説明する。第１図は、このガス発生装置の縦断面図、第２，３図は第１図の２−２線、３−３線に沿う断面図である。
【００１５】
第１図に示すように、本実施例に係るガス発生装置２００は、２つのイニシエータ及び燃焼室を備えた多段式インフレータである。
【００１６】
このガス発生装置２００は、上開容器状のベース２１０と、下開容器状のカップ２２０とによって燃焼室の外殻が構成されている。また、カップ２２０の上側にフィルタカップ２４０が固着されることによりフィルタ室２７０が形成され、その中にフィルタ２７１が配置されている。
【００１７】
ベース２１０の底面には２個の孔２１２，２１３が設けられ、孔２１２にパイプ２３０が挿入されている。このパイプ２３０の外側が第１燃焼室２５０であり、パイプ２３０の内側が第２燃焼室２６０である。第１燃焼室２５０及び第２燃焼室２６０にはそれぞれプロペラント２５１，２６５が充填されている。
【００１８】
第１燃焼室２５０内のプロペラント２５１を点火させるために、前記孔２１３からブースタ２８０が挿入されている。このブースタ２８０は、孔２１３にアダプタ２８２を介して装着される第１イニシエータ２８１と、この第１イニシエータ２８１を囲む所定圧以上で破断する第１アルミキャップ２８３と、第１アルミキャップ２８３内に充填されたブースタプロペラント２８４と、第１アルミキャップ２８３内の頂部に取り付けられたオートイグニッションプロペラント２８５とを有する。
【００１９】
オートイグニッションプロペラント２８５は、ブースタプロペラント２８４と一緒に第１アルミキャップ２８３内に充填されていて約１５０℃に達すると自動的に燃焼してブースタプロペラント２８４を燃焼させる。この孔２１３の内周面とアダプタ２８２の内周面とは溶接されている。
【００２０】
なお、プロペラント２５１はカップ２２０の内周に沿うように配置されたアルミキャップ２５２内に充填されると共に、押さえ板２５３によって下側から保持されている。
【００２１】
パイプ２３０内のプロペラント２６５を点火させるために、該パイプ２３０内にアダプタ２６２を介して第２イニシエータ２６１が挿入されている。アダプタ２６２とパイプ２３０との間にはシール用のＯリング２６３が介在されている。
【００２２】
第１燃焼室２５０及び第２燃焼室２６０内の燃焼ガスをフィルタ室２７０に導くために、カップ２２０の頂面部に第１のオリフィス２２１と第２のオリフィス２２２が設けられている。第１のオリフィス２２１は第１燃焼室２５０側から第１のシム２１１で閉鎖されている。第２のオリフィス２２２は、第２燃焼室２６０側から第２のシム２２３で閉鎖されると共に、フィルタ室２７０側から第３のシム２２４で閉鎖されている。
【００２３】
フィルタカップ２４０の側周面には第３のオリフィス２４１が設けられ、フィルタ室２７０側から第４のシム２４２によって閉鎖されている。
【００２４】
次にこのガス発生装置についてさらに詳細に説明する。
【００２５】
ベース２１０は、大きい孔２１２と小さい孔２１３とを底面に形成された鍋蓋状である。カップ２２０は、このベース２１０に溶接されている。図中の黒く塗りつぶされた箇所は溶接部分を示している。パイプ２３０は、カップ２２０の頂面に当接するように大きい孔２１２から挿嵌され、溶接により接続されている。フィルタカップ２４０は、カップ２２０の外側面に溶接により接続されている。
【００２６】
上記の通り、ベース２１０に設けられた小さい方の孔２１３には、第１燃焼室２５０内のプロペラント２５１の燃焼を加速化するブースタ２８０が第１燃焼室２５０内に設けられている。大きい方の孔２１２に設けられたパイプ２３０内には、着火装置であって第１イニシエータ２８１よりも所定時間（例えば２０ｍｓｅｃ（ミリ秒））遅れて点火する第２イニシエータ２６１と、この第２イニシエータ２６１を所定の位置に保持し外周が円板状でその外径がパイプ２３０の内径とほぼ等しいアダプタ２６２と、このパイプ２３０に気密に挿嵌させるようにアダプタ２６２の外周縁に設けられた溝に嵌入されるゴム製のＯリング２６３と、アダプタ２６２をパイプ２３０内に所定の高さで支持するように端縁にフランジが形成されていて、その外径がパイプ２３０の内径にほぼ等しい円筒状の支持部材２６４と、高燃焼性のプロペラント２６５と、約１５０℃に達すると自動的に燃焼してプロペラントを燃焼するオートイグニッションプロペラント２６６とを、備えている。
【００２７】
第１燃焼室２５０のアルミキャップ２５２内には、上述したブースタ２８０と上述パイプ２３０との間の空間にプロペラント２５１が充填されている。このプロペラント２５１が押さえ板２５３で押圧固定され、プロペラント２５１が第１燃焼室２５０内で遊動しないようになっている。第１燃焼室２５０内に配置されたアルミキャップ２５２の上部周端縁は開口していて、カップ２２０の頂面に当接している。
【００２８】
第１図の通り、フィルタ室２７０には、ほぼフィルタカップ２４０内に収まる形状のフィルタ２７１が配置されている。このフィルタ２７１は、この実施例にあっては厚肉の円盤状である。第２のオリフィス２２２及び第１のオリフィス２２１の周囲に空隙を形成する間隙部２７２がフィルタ２７１の下面中央側に設けられている。また、第３のオリフィス２４１の周囲の空隙を形成する間隙部２７３がフィルタカップ２４０の内径よりも小さい外径を有するフィルタ２７１によって、フィルタカップ２４０の内壁とフィルタ２７１の周縁部との間に形成されている。
【００２９】
前者の間隙部２７２は、第１のオリフィス２２１又は第２のオリフィス２２２から噴出する膨張ガスをフィルタ２７１の外面のできるだけ広範囲の領域から透過させるように、膨張ガスの進行方向に対して横方向に拡散させるようにしてある。
【００３０】
間隙部２７３は、フィルタ２７１を通過したガスを第３のオリフィス２４１にスムーズに導いて第３のオリフィス２４１から噴出させるためのものである。即ち、フィルタ２７１内を透過してきた様々な方向性を持つガスが、第３のオリフィス２４１から離間した所に噴出された場合、ガスが第３のオリフィス２４１から離れた所であるほどフィルタカップ２４０の内壁への衝突によりガスの流速が失われ、更にフィルタ２７１内を透過して移動する負荷が大きく滞留しやすくなる。間隙部２７３を設けてあると、ガスが該間隙部２７３を通ってオリフィス２４１に向ってスムーズに流れる。
【００３１】
なお、このフィルタ２７１は、フィルタ室２７０内でガタつきや位置ズレを生じないように、フィルタ室２７０の内面に接着剤で固定されているか、或いはカップ２２０外側底面からの圧着力によりフィルタ室２７０内に圧入により圧迫固定されている。
【００３２】
第１のオリフィス２２１には、第１燃焼室２５０側に所定の圧力で破断する第１のシム２１１が貼設されている。第２のオリフィス２２２には、第２燃焼室２６０側に所定の圧力で破断する第２のシム２２３が貼設されていると共に、フィルタ室２７０側には第１のオリフィス２２１から噴出した燃焼ガスが第２燃焼室２６０内へ流入しないように第３のシム２２４が貼設されている。これによって、第１燃焼室２５０と第２燃焼室２６０は、気密に隔離される。
【００３３】
第３のオリフィス２４１のフィルタ室２７０側には、インフレータ２００の外部から異物や湿気等が侵入しないように第４のシム２４２が貼設されている。これによって、フィルタ室２７０は、外界から気密に隔離される。
【００３４】
次に、本実施例に係るガス発生装置２００の作用につき説明する。
【００３５】
車両が衝突事故を起こした時、図示しない加速度センサーから電気信号が図示しないＥＣＵ（electric  computer  unit）に出力され、このＥＣＵからガス発生装置２００のブースタ２８０内の第１イニシエータ２８１に点火信号が出力される。これにより、第１イニシエータ２８１は点火し、ブースタ２８０内のブースタプロペラント２８４を燃焼させる。この際、ブースタ２８０内の内圧が急上昇し、第１アルミキャップ２８３を破断させて、第１燃焼室２５０内にブースタ２８０からの燃焼ガスが広がり、第１燃焼室２５０内のプロペラント２５１を一気に燃焼させる。こうして、第１燃焼室２５０内の内圧が急上昇し、カップ２２０に穿設された第１のオリフィス２２１の第１燃焼室２５０側に貼設された第１のシム２１１を破断させる。こうして開口した第１のオリフィス２２１から燃焼ガスがフィルタ室２７０内に流入する。このようにして流入した燃焼ガスは、第１のオリフィス２２１周辺に形成された間隙部２７２でガス進行方向に対して横方向に広く拡散しながら広範囲の頂面領域からフィルタ２７１内に侵入する。この流入したガスは、フィルタ２７１内を透過しながら第３のオリフィス２４１周辺に形成された間隙部２７３に流入する。このガスは、間隙部２７３内で障害物がなくなるので、ガス移動の自由度が増し、滞留することなく第４のシム２４２を破り、第３のオリフィス２４１からスムーズに外部に噴出する。
【００３６】
次いで、第１イニシエータ２８１の点火から例えば２０ｍｓｅｃ（ミリ秒）経過後、図示しないＥＣＵから第２イニシエータ２６１に点火信号が出力される。これによって、第２イニシエータ２６１が点火し、第２燃焼室２６０内のプロペラント２６５が燃焼する。この際、第２燃焼室２６０内の内圧が急上昇し、第２のオリフィス２２２の第２燃焼室２６０側に貼設された第２のシム２２３が破断する。次いで、第２のオリフィス２２２のフィルタ室２７０側に貼設された第３のシム２２４は、粘着面が第２のオリフィス２２２の周辺部から容易に剥がれて第２のオリフィス２２２は開口する。燃焼ガスは、間隙部２７２で進行方向に対して横方向に広く拡散しながら広範囲の頂面からフィルタ２７１内に侵入する。この流入したガスは、フィルタ２７１内を透過しながら第３のオリフィス２４１周辺に形成された間隙部２７３に流入する。このガスは、間隙部２７３内で障害物がなくなるので、ガス移動の自由度が増し、滞留することなく第３のオリフィス２４１からスムーズに外部に噴出する。
【００３７】
このように構成されたガス発生装置２００にあっては、第１のオリフィス２２１と第２のオリフィス２２２とが異なる場所に配設され、第２燃焼室２６０からの燃焼ガスは第１燃焼室２５０を通過しないので、第２のオリフィス２２２から噴出して第３のオリフィス２４１から排出される場合の燃焼ガスが通るフィルタ２７１内の通過経路は、第１のオリフィス２２１を通って噴出し第３のオリフィス２４１から排出される場合の燃焼ガスが通るフィルタ２７１内の通過経路とは異なるものとなる。
【００３８】
フィルタ２７１における燃焼ガスが透過する領域に偏りがあると、例えば米国特許第６０３２９７９号に示すインフレータのように、第２燃焼室２６０からの燃焼ガスが第１燃焼室２５０を経由して外界に排出される場合、第１燃焼室２５０からの燃焼ガスが透過して温度上昇したフィルタ領域を、第２燃焼室２６０からの燃焼ガスが再度透過すれば、その第２燃焼室２６０からの燃焼ガスは、これから透過すべきフィルタ領域が既に高温化しているので、その高温化したフィルタ領域の冷却作用は十分に発揮されにくい。
【００３９】
これに対し、本実施例では、第１のオリフィス２２１と第２のオリフィス２２２とを離間させてあるので、燃焼ガスがフィルタ２７１内の異なる領域（燃焼ガスが比較的透過していない温度の低い領域）を透過するので、フィルタ２７１のもつ本来の冷却能力をより一層発揮することができ、より高い冷却効果を期待することができる。
【００４０】
また、ガス発生装置２００にあっては、カップ２２０をフィルタ室と燃焼室との隔壁として利用でき、従来から用いられるインフレータのカップをそのまま用いることが可能となるので、新たに隔壁を設ける必要がなくなり、廉価かつ簡単にこの種のインフレータを製造することができる。
【００４１】
さらに、このガス発生装置２００にあっては、カップの頂面全体をほぼ被覆する大きさのフィルタカップを用いることができるので、この中に収容されるフィルタの容積を大きくすることができ、冷却能力の高いインフレータを得ることが出来る。
【００４２】
次に、第４〜６図を参照して本発明の別の実施例に係るインフレータにつき説明する。
【００４３】
第４図は、本実施例に係るガス発生装置の縦断面図、第５，６図は第４図の５−５線、６−６線に沿う断面図である。なお、第４図の下部は第５図の４−４線に沿う断面を示し、第４図の上部は第６図の４−４線に沿う断面を示している。
【００４４】
このガス発生装置３００は、上記の実施例の変形例であって、上記の実施例に係るガス発生装置２００と同様に２つのイニシエータ及び燃焼室を備えた多段式インフレータである。この実施例にあってはパイプ３４０がカップ２２０を貫通してフィルタカップ２４０の頂面に溶接により接続されている。フィルタ３１０は、このパイプ３４０を取り巻くように円環状に形成されている。フィルタ室３３０内に突出したパイプ３４０の側面に第２のオリフィス３４１が穿設され、この第２のオリフィス３４１をフィルタ室３３０側から閉鎖するようにパイプ３４０の外側からステンレスリング３２０が巻き付いている。これによって、パイプ３４０の内側の第２燃焼室３５０は、パイプ３４０の外側の第１燃焼室３６０及びフィルタ室３３０から気密に隔離される。
【００４５】
パイプ３４０内には、所定の圧力で破断するアルミ製の一端が閉じられている円筒状の第２アルミキャップ３４２（第６実施例の第２のシム２２３に相当）が配設されていて、この中にプロペラント２６５が収納されている。なお、第１２図においても、黒く塗りつぶされた箇所は溶接部分を示す。
【００４６】
円環状のフィルタ３１０は、性質の異なる２つのフィルタ、すなわち、高温の燃焼ガスに耐えられるような線径の太い鉄材（例えば０．５ｍｍ（ミリメートル））を用いた、フィルタ３１０の内周領域を構成する円環状の第１フィルタ３１１と、第１フィルタ３１１によってある程度冷却された燃焼ガスの熱を表面積を広くすることによって効率的に逃がすために線径を細くした鉄材（例えば０．３ｍｍ（ミリメートル））を用いたフィルタ３１０の外周領域を構成する第２フィルタ３１２と、から構成されている。なお、第１、２フィルタ３１１、３１２の組み合わせ方は、特にこれに限定されるものではなく、その他に鉄製の第１フィルタ３１１と、鉄よりも熱伝導率の高いアルミ製や銅製の第２フィルタ３１２とを組み合わせても構わない。
【００４７】
この実施例においても、パイプ３４０の外周壁と第１フィルタ３１１の内周との間に間隙部３１３が形成され、フィルタカップ２４０の内壁と第２フィルタ３１２の外周端縁との間に間隙部３１４が形成されている。
【００４８】
ガス発生装置３００のその他の構成は上記の実施例のガス発生装置２００と同一であり、同一符号は同一部分を示している。
【００４９】
次に、本実施例に係るガス発生装置３００の作用につき説明する。
【００５０】
車両が衝突事故を起こした時、図示しない加速度センサーから電気信号が図示しないＥＣＵに出力され、このＥＣＵからインフレータ３００のブースタ２８０内の第１イニシエータ２８１に点火信号が出力される。これにより、第１イニシエータ２８１は点火し、ブースタ２８０内のブースタプロペラント２８４を燃焼させる。この際、ブースタ２８０内の内圧が急上昇し、第１アルミキャップ２８３を破断させて、第１燃焼室３６０内にブースタ２８０からの燃焼ガスが広がり、第１燃焼室３６０内のプロペラント２５１を一気に燃焼させる。こうして、第１燃焼室３６０内の内圧が急上昇し、カップ２２０に穿設された第１のオリフィス２２１の第１燃焼室２５０側に貼設された第１のシム２１１を破断させる。こうして開口した第１のオリフィス２２１から燃焼ガスがフィルタ室３３０内に流入する。このようにして流入した燃焼ガスは、第１フィルタ３１１から第２フィルタ３１２を通り、間隙部３１４を経て第４のシム２４２を破り、第３のオリフィス２４１からスムーズに外部に噴出する。
【００５１】
次いで、第１イニシエータ２８１の点火から例えば２０ｍｓｅｃ（ミリ秒）経過後、図示しないＥＣＵから第２イニシエータ２６１に点火信号が出力される。これによって、第２イニシエータ２６１が点火し、第２燃焼室３５０内のプロペラント２６５が燃焼する。この際、第２燃焼室３５０内の内圧が急上昇し、第２アルミキャップ３４２が破断する。次いで、第２のオリフィス３４１をフィルタ室３３０側から覆っているステンレスリング３２０がガス圧で破れることにより第２のオリフィス３４１が開口する。燃焼ガスは、間隙部３１３からフィルタ３１１内に侵入する。このガスは、次いでフィルタ３１２を通り、間隙部３１４を経て第３のオリフィス２４１からスムーズに外部に噴出する。
【００５２】
このようにこのガス発生装置３００にあっては、第１のオリフィス２２１と第２のオリフィス３４１とを離間させてあるので、燃焼ガスがフィルタ内の異なる領域（燃焼ガスが比較的透過していない比較的温度の低い領域）を透過する。このため、フィルタ３１０のもつ本来の冷却能力をより一層発揮することができ、より高い冷却効果を期待することができる。
【００５３】
また、このように構成すれば、カップ２２０をフィルタ室３３０と第１燃焼室３６０との隔壁として利用でき、従来から用いられるインフレータのカップをそのまま用いることが可能となるので、新たに隔壁を設ける必要がなくなり、廉価かつ簡単にこの種のインフレータを製造することができる。
【００５４】
また、このガス発生装置３００にあっては、第２燃焼室３５０内の容積を大きくすることができるので、収容できるプロペラントの量を多くすることができる。
【００５５】
なお、上述した各実施例では、２つの燃焼室を備えたガス発生装置が示されているが、特にこれに限定されるものではなく、３つ以上の燃焼室を備えたガス発生装置にも本発明は適用可能である。
【００５６】
【発明の効果】
以上説明したように本発明のガス発生装置は、少なくとも２つの燃焼室を備えたガス発生装置で、各燃焼室に形成されたオリフィスが、他の燃焼室に形成されたオリフィスを通過せずにフィルタ室に連通させ、かつ着火した燃焼室から発生した燃焼ガスが他の燃焼室内に侵入しないように他の燃焼室のオリフィスに逆流防止部材を設けたので、フィルタの異なる領域（燃焼ガスが比較的通過していない比較的温度の低い領域）、を冷却手段として有効に活用することが可能となり、冷却効果の高いガス発生装置が得られる。
【図面の簡単な説明】
【図１】本発明に係るガス発生装置の実施例を示す縦断面図である。
【図２】図１の２−２線に沿う断面図である。
【図３】図１の３−３線に沿う断面図である。
【図４】本発明に係るガス発生装置の別の実施例を示す断面図である。
【図５】図４の５−５線に沿う断面図である。
【図６】図４の６−６線に沿う断面図である。
【符号の説明】
２００，３００：ガス発生装置
２１０：ベース
２１１：第１のシム
２１２：孔
２１３：孔
２２０：カップ
２２１：第１のオリフィス
２２２：第２のオリフィス
２２３：第２のシム
２２４：第３のシム
２３０：パイプ
２４０：フィルタカップ
２４１：第３のオリフィス
２４２：第４のシム
２５０：第１燃焼室
２５１：プロペラント
２５２：アルミキャップ
２５３：押さえ板
２６０：第２燃焼室
２６１：第２イニシエータ
２６２：アダプタ
２６３：Ｏリング
２６４：支持部材
２６５：プロペラント
２６６：オートイグニッションプロペラント
２７０：フィルタ室
２７１：フィルタ
２７２：間隙部
２７３：間隙部
２８０：ブースタ
２８１：第１イニシエータ
２８２：アダプタ
２８３：第１アルミキャップ
２８４：ブースタプロペラント
２８５：オートイグニッションプロペラント
３１０：フィルタ
３１１：第１フィルタ
３１２：第２フィルタ
３１３：間隙部
３１４：間隙部
３２０：ステンレスリング
３４０：パイプ
３４１：第２のオリフィス
３４２：第２アルミキャップ
【図１】
0005050298.tif 000002
【図２】
0005050298.tif 000003
【図３】
0005050298.tif 000004
【図４】
0005050298.tif 000005
【図５】
0005050298.tif 000006
【図６】
0005050298.tif 000007